(57)【要約】【課題】簡単に、また風見では判断できない微風であっても、局所における風向きを適切に知ることができる技術を提供すること。【解決手段】風の出入口を有する通風路Ａ又はＢが設けられた携帯可能なケース２と、通風路Ａ又はＢに設けられ、当該通風路を風が流れたときに通風路Ａ又はＢにおける風の出口２８・２７側を通風路Ａ又はＢの入り口２６・２９側から入った風を受けて指向する風向き指向具３０と、を有する風向き測定器１。【選択図】図１
0003126997.tif 000002
【実用新案登録請求の範囲】
【請求項１】
周囲に風の出入口を有する通風路が設けられた携帯可能なケースと、
前記通風路に設けられ、当該通風路を風が流れたときに風を受けて前記通風路における風の流れの下流方向を指向する風向き指向具と、
を有する風向き測定器。
【請求項２】
前記風向き指向具は、前記ケースに回転自在に設けられた回転軸と、この回転軸に取り付けられたフラッグとを有することを特徴とする請求項１に記載の風向き測定器。
【請求項３】
前記風向き指向具は、少なくとも２つ設けられ、そのうちの一つの風向き指向具は、前記回転軸に重心を有し、別の一つの風向き指向具はフラッグに重心を有することを特徴とする請求項１又は２に記載の風向き測定器。
【請求項４】
前記ケースは方位磁石を有することを特徴とする請求項１〜３のいずれかに記載の風向き測定器。
【考案の詳細な説明】
【技術分野】
【０００１】
本考案は、風向き測定器に関する。
【背景技術】
【０００２】
ゴルフや凧揚げなど、風がプレーや遊技を行う上で大きく影響するスポーツや遊技においては、風向きや風力を知ることは、競技や遊技を自己に有利に導く上で欠かせない要因になっている。
【０００３】
特に風向きが向かい風（アゲンスト）であると競技や遊技にマイナスに働き、追い風（フォロー）であるとプラスに働くということは周知の事実である。
【０００４】
ところがこれまでは、個人レベルで簡単に追い風や向かい風を知ることが出来なかった。また微風の場合は、人によって追い風なのか向かい風なのか判断が微妙に相違し、例えばゴルファー仲間でラウンドする場合、風向きが、向かい風なのか追い風なのか意見が別れ、それに適した打ち方をどうするかの判断に躊躇する場合が少なくなかった。
【０００５】
また、鳥や船などを模（かたど）って、屋根または船の帆柱などに設けられ、風に従って向きを変えるようにして風の方向を知る風見が周知である。しかし、風見では局所の風向きを知ることは困難であり、また風見を動かす程の風力がない場合は、一定の方向を指すばかりであり、風向きの判断を誤る可能性がある。
【０００６】
そこで、芝を契って放り投げたり煙草の煙を上空に吹いて見たりして、局所における風向きを判断するが、必ずしも正確とは限らず、またそのような行為をすることが照れくさく思う者も少なくないと思われる。そこで容易に、また微風であっても風向きを適切に知りたいという要望があると考えた。
【考案の開示】
【考案が解決しようとする課題】
【０００７】
本考案は、上記実情に鑑みて考案されたものであり、その解決しようとする課題は、風見では判断できない微風であっても局所における風向きを適切かつ容易に知ることができる技術を提供することにある。
【課題を解決するための手段】
【０００８】
本考案は、前記課題を解決するため、以下の手段を採用した。
すなわち本考案は、周囲に風の出入口を有する通風路が設けられた携帯可能なケースと、前記通風路に設けられ、当該通風路を風が流れたときに風を受けて前記通風路における風の流れの下流方向を指向する風向き指向具と、を有する風向き測定器である。なお、携帯可能なケースの大きさは、例えば掌サイズ以下のものが好ましい。
【０００９】
よって当該ケースの通風路も当該携帯可能な大きさに合わせたサイズとなるから、譬え微風であったにせよ、小さな通路に多量の空気が流れることになり、通風路を流れる風は勢いがつく。この風の勢いによって風向き指向具が作用し、通風路における風の出口側を指向する。したがって、局所における風向きがわかるようになる。
【００１０】
しかも掌サイズであれば、競技や遊技のプレーヤが所持するのが普通であり、プレーヤが競技場や遊技場において位置する箇所は、競技場や遊技場における局所に他ならない。
前記風向き指向具は、前記ケースに回転自在に設けられた回転軸と、この回転軸に取り
付けられたフラッグとを有するものが好適である。フラッグは風が流れると揺れるので、視認性を向上させる。
【００１１】
風向き指向具は、少なくとも２つ設けられ、一つの風向き指向具は、前記回転軸に重心を有し、別の一つの風向き指向具はフラッグに重心を有するものであると好適である。
【００１２】
両風向き指向具は、重心の位置が軸とフラッグとで異なるため、風が無ければ偶然の一致を除いて両方のフラッグが同一方向を指向することはない。しかし、風力が強ければ、譬え重心の位置が違ってもフラッグの靡（なび）く方向は同一になる。よって、二本のフラッグが同一方向を指し示せば風向きを確実に視認することができる。
【００１３】
前記ケースに方位磁石を有するようにすることも考えられる。
方位磁石を備えることで、風向きを具体的に把握することができる。
【考案の効果】
【００１４】
本考案によれば、携帯可能であるからその大きさを掌サイズ以下しておけば、掌上に載せるだけの簡単作業で風向きを適切に知ることができる。また風見では判断できない微風であっても局所における風向きを適切に知ることができる。
【考案を実施するための最良の形態】
【００１５】
以下、本考案に係る風向き測定器の実施形態を図面を参照しながら説明する。
【実施例１】
【００１６】
図１（ａ）及び図２に示すように、風向き測定器１は、掌に収まる程度の大きさである。そして、風向き測定のための機能を有する内ケース２と、この内ケース２を収納可能な外ケース４とを有する。そして内ケース２を外ケース４に収納したときに余分な隙間ができないように両ケースの寸法が設定されている。
【００１７】
内ケース２は、上下に位置しかつ長四角形状をした一対の面部（以下長四角面部）１９・２０と、一方の面部１９の四隅に立設され、他方の面部２０を支える支柱２２〜２５とからなる（図６〜８参照）。よって内ケース２は、一対の長四角面部１９・２０の間の空間が四方に開放された開口２６〜２９を有する偏平中空六面体形状をしているといえる。
【００１８】
開口２６は、長四角面部１９・２０の間であって、支柱２２と２３との間にできる開口であり、以下同様に開口２７は、支柱２３と２４との間にでき、開口２８は、支柱２４と２５との間にでき、開口２９は同じく支柱２５と２２との間にできる開口である。そして内ケース２の長手方向において対向する一対の開口２６・２８よりも、残りの開口２７・２９の方が長寸になっている。
【００１９】
また、支柱２２・２３の基端部には、軸板２２１・２３１が対向状態で設けられている。
軸板２２１・２３１は、内ケース２を外ケース４に対して回動するためのものであり、内ケース２の長手方向において外側に平行に延びる板状部である。その自由端寄りの適所には、同一軸線上に回転突起２２１ａ・２３１ａが外側に突出されている。
【００２０】
そして、長四角面部１９・２０の間では、フラッグ３１が取り付けられた回転軸３２が回転自在に取り付けられている。なお、この実施例１ではフラッグ３１として日の丸が例示されている。
【００２１】
フラッグ３１と、このフラッグ３１が取り付けられた回転軸３２とをこの明細書では風
向き指向具と呼称し、符号３０で示す。
【００２２】
風向き指向具３０を内ケース２に取り付けるため、長四角面部１９・２０のうちの他方の面部２０は、一方の面部１９に対して着脱自在に設けられている。そのために、他方の面部２０の隅部には、嵌合孔２１１が形成され（図面では図４に２つの嵌合孔２１１のみ示す）、これらの嵌合孔２１１に締まり嵌め状に内嵌される突起２２ａ〜２５ａが面部１９の支柱２２〜２５の頂部に形成されている。なお、長四角面部１９・２０及び支柱２２〜２５を射出成形によって一体に形成してもよいのは勿論である。
【００２３】
なお、フラッグ３１が取り付けられた回転軸３２が、長四角面部１９・２０における位置は、突起２２ａ〜２５ａを結ぶ対角線Ｄ１及びＤ２が交叉する位置Ｐである（図６参照）。当該位置には軸嵌合孔３２１が形成されている（図５参照）。
【００２４】
加えて、図１（ｂ）のように長四角面部２０の適所（例えば、各縁の中央又はいずれかの四隅の近傍や面部中央）に方位磁石２１を取り付けたり、埋設したりしてもよい。
【００２５】
外ケース４は六面体の一面が開放され、かつ内ケース２よりも一回り大きめに形成された中空体である（図４参照）。詳しくは、内ケース２を外ケース４に収納したときにおいて、下方に位置する下開口４１と、下開口４１に対向する天井面４２と、天井面４２の周縁から下方に垂下し、内ケース２の開口２６〜２９にそれぞれ対向する周壁４６〜４９と、周壁４６〜４９のうち周壁４６の両端に設けられた受け板４２１・４３１とを有する（図１〜５参照）。
【００２６】
外ケース４の周壁４６〜４９のうち壁４６及び４８が、内ケース２の開口２６及び２８に対向し、壁４７及び４９が内ケース２の開口２７及び２９に対向する。内ケース２の開口２６及び２８よりも開口２７及び２９の方が短いため、外ケース４の壁４６及び４８の方が、壁４７及び４９よりも当然短い。
【００２７】
外ケース４の受け板４２１・４３１は、ほぼ三角形状をしている。そして、内ケース２を外ケース４に収納したときに（図２参照）、受け板４２１・４３１は、それぞれ内ケース２の軸板２２１・２３１と対向する。
【００２８】
アーム部３３  図２、４からわかるように、受け板４２１・４３１の下部には、軸板２２１・２３１の各回転突起２２１ａ・２３１ａが嵌合する嵌合孔４２１ａ・４３１ａが形成されている。
なお、外ケース４のうち壁同士が交叉する隅部にはアールが形成されている。
また、内ケース２を外ケース４に収納したときに両ケース２・４が容易に外れないよう、適宜の取着手段を用いることが考えられる。取着手段としては、例えばぱっちん止めを利用したり磁石を利用することが考えられる。
【００２９】
次にこのような風向き測定器１の作用効果を説明する。
風向き測定器１を用いて風向きを測定する場合、風向き測定器１を例えば掌に載せて外ケース４の周壁４６〜４９の適所を把持し、外ケース４を持ち上げる。すると外ケース４と内ケース２とが分離し、内ケース２が現れる（図１、２参照）。図１のように内ケース２と外ケース４とを直交させた状態で外ケース４を把持し、フラッグ３１が靡く方向を目指して体の向きを変える。
【００３０】
風の流れる方向と内ケース２の面部が対向すると、当該対向した面に形成されている開口を風の入り口として内ケース２内に風が入り、当該開口が形成されている壁と対向する壁の開口を出口として風が内ケース２から流出する。なお、内ケース２のうち入り口と出
口とを結ぶ通路を通風路という。通風路は内ケース２において矢印Ａ及びＢで示す方向にそれぞれ延びる２通路がある（図１参照）。通路（以下、通風路）Ａの入り口及び出口は、それぞれ開口２６及び２８であり、通風路Ｂの入り口及び出口は、それぞれ開口２９及び２７であるが、風向きによっては、それぞれの入り口及び出口が入れ替わり、開口２６又は２９が出口となり、開口２８又は２７が出口に成る場合がある。
【００３１】
通風路Ａ又はＢを風が流れるため、内ケース２内に取り付けられていた風向き指向具３０のフラッグ３１が、通風路Ａ又はＢの出口側に向けてその先端を靡かせるように回転軸３２を回転中心として回転する。
【００３２】
風向き測定器１は掌サイズ以下であるから、風向き測定器１の通風路Ａ，Ｂも当該携帯可能な大きさに合わせた小サイズであるから、譬え微風であったにせよ、小さな通路に多量の空気が流れることになり、通風路Ａ，Ｂを流れる風は勢いがつく。この風の勢いによって風向き指向具３０が作用し、通風路Ａ，Ｂにおける風の出口側を指向する。よって、局所における風向きがわかるようになる。また掌に載せるだけの簡単作業で風向きがわかる。
【００３３】
しかも掌サイズであれば、競技や遊技のプレーヤが所持することができる。また、プレーヤが競技場や遊技場において位置する箇所は、競技場や遊技場における局所に他ならない。またフラッグ３１は風が流れると揺れるので、視認性を向上させることができる。
【００３４】
方位磁石を備えることで、西南西の風とか南南西の風という具合に風向きを具体的に把握することができる。このため風向きをイメージ化し易いので、当該風に対する対応が一層容易になる。
【実施例２】
【００３５】
次に図９，１０を参照して実施例２を説明する。
実施例２の風向き測定器１Ａが実施例１の風向き測定器１と相違する点は、風向き指向具が２つあることと、それらの重心が相互に他方に対して相違する点にある。よって同一部分には同一の符号を付して説明を省略する。
【００３６】
風向き測定器１Ａにあっては、一方の風向き指向具３０Ａは、回転軸３２のほぼ中央に重心Ｃを有し、他方の風向き指向具３０Ｂはフラッグ３１のほぼ中央に重心Ｃを有するものである。
【００３７】
実施例２に係る風向き測定器１Ａにあっては、実施例１に係る風向き測定器１の作用効果を奏する以外につぎのような作用効果を奏する。すなわち、両風向き指向具３０Ａ・３０Ｂは、重心の位置が軸とフラッグとで異なるため、風が無ければ、偶然の一致を除いて各フラッグ３１が同一方向を指向することはない。しかし、風力が強ければ、譬え重心の位置が違ってもフラッグ３１の靡（なび）く方向は同一になる。よって、二本のフラッグ３１が同一方向を指し示せば風向きを確実に視認することができる。
【００３８】
なお、本考案は、上述の図示例にのみ限定されるものではなく、本考案の要旨を逸脱しない範囲内において種々変更を加え得ることは勿論である。例えば上記実施形態では風向き測定器単独で設けたが、鉛筆やペンの後端に設けられる付属品として適用できるのは勿論である。
【図面の簡単な説明】
【００３９】
【図１】本考案に係る風向き測定器の実施例１に係る斜視図であって、（ａ）図は、外ケースを外した状態を示す図であり、（ｂ）図は、方位磁石を備えたものである。
【図２】本考案に係る風向き測定器の実施例１に係る斜視図であって、外ケースに内ケースを収納した状態を示す図である。
【図３】図２の平面図である。
【図４】図３のIV-IV線断面図である。
【図５】図３の矢印V方向から見た図である。
【図６】内ケースの平面図である。
【図７】図６の矢印VII方向から見た図である。
【図８】図６の矢印VIII方向から見た図である。
【図９】本考案に係る風向き測定器の実施例２に係る斜視図である。
【図１０】図９の一部省略縦断面図である。
【符号の説明】
【００４０】
１ 測定器
２ 内ケース
４ 外ケース
１９ 長四角面部，一方の面部
２０ 長四角面部，他方の面部
２１ 方位磁石
２２ 支柱
２２ａ 突起
２３ 支柱
２３ａ 突起
２４ 支柱
２４ａ 突起
２５ 支柱
２４ａ 突起
２６ 開口
２７ 開口
２８ 開口
２９ 開口
３０ 風向き指向具
３０Ａ 風向き指向具
３０Ｂ 風向き指向具
３１ フラッグ
３２ 回転軸
４１ 下開口
４２ 天井面
４６ 周壁
４７ 周壁
４８ 周壁
４９ 周壁
２１１ 嵌合孔
２２１ 軸板
２２１ａ 回転突起
２３１ 軸板
２３１ａ 回転突起
３２１ 軸嵌合孔
４２１ 受け板
４２１ａ 嵌合孔
４３１ 受け板
４３１ａ 嵌合孔
Ａ 通風路
Ｂ 通風路
Ｃ 重心
Ｄ１ 対角線
Ｄ２ 対角線
Ｐ 対角線の交叉位置
【図１】
0003126997.tif 000003
【図２】
0003126997.tif 000004
【図３】
0003126997.tif 000005
【図４】
0003126997.tif 000006
【図５】
0003126997.tif 000007
【図６】
0003126997.tif 000008
【図７】
0003126997.tif 000009
【図８】
0003126997.tif 000010
【図９】
0003126997.tif 000011
【図１０】
0003126997.tif 000012